(57)【要約】【課題】  本考案は、ひも靴に髪の毛が入らないように、また、靴の中に髪の毛が入らないようにするためのひも靴カバーを提供する。【解決手段】  本考案に係るひも靴カバーは、第１の部材と第２の部材とを備え、第１の部材は第１の端部を有し、第１の部材は、髪の毛を通さない素材からなり且つ少なくともひも靴の編み部分の全体を覆うことができる寸法であり、第１の部材の第１の端部付近に靴ひもを通すための少なくとも２つの穴を有し、第２の部材は、第１の端部及び第２の端部を有し、第２の部材の第２の端部が第１の部材の背面に接続され、第２の部材の第１の端部は、ひも靴の編み部分を通るひもの少なくとも一部の下に通すことができる。【選択図】  図３
0003137205.tif 000002
【実用新案登録請求の範囲】
【請求項１】
第１の部材と第２の部材とを備え、
前記第１の部材は第１の端部を有し、前記第１の部材は、髪の毛を通さない素材からなり且つ少なくともひも靴の編み部分の全体を覆うことができる寸法であり、前記第１の部材の第１の端部付近に靴ひもを通すための少なくとも２つの穴を有し、
前記第２の部材は、第１の端部及び第２の端部を有し、前記第２の部材の前記第２の端部が前記第１の部材の背面に接続され、前記第２の部材の前記第１の端部は、ひも靴の編み部分を通るひもの少なくとも一部の下に通すことができることを特徴とするひも靴カバー。
【請求項２】
請求項１に記載のひも靴カバーであって、
前記第２の部材は、靴ひもと係合する切り欠き部を有することを特徴とするひも靴カバー。
【請求項３】
請求項１又は２に記載のひも靴カバーであって、
前記第１の部材の前記背面に、前記第２の部材を通すためのループが設けられていることを特徴とするひも靴カバー。
【請求項４】
請求項１乃至３のいずれか１項に記載のひも靴カバーであって、
前記第２の部材の前記第１の端部は、前記第１の部材の前記第１の端部を越えて延びることを特徴とするひも靴カバー。
【請求項５】
請求項１乃至４のいずれか１項に記載のひも靴カバーであって、
前記第１の部材は、前記第１の端部に対向する第２の端部を有し、
前記第１の部材の前記背面と前記第２の部材の前記第２の端部との接続位置は、前記第１の部材の前記第２の端部から所定距離だけ離れていることを特徴とするひも靴カバー。
【請求項６】
請求項１乃至５のいずれか１項に記載のひも靴カバーであって、前記第１の部材は、幅方向の断面が中央に凸となる形状であることを特徴とするひも靴カバー。
【考案の詳細な説明】
【技術分野】
【０００１】
本考案はひも靴カバーに関し、特に髪の毛が靴に入らないようにするとともに、髪の毛が靴ひもに絡まないようにするためのひも靴カバーに関する。
【背景技術】
【０００２】
美容院などの髪の毛の多い環境においては、靴にカットした髪の毛が絡まり、またカットした髪の毛が靴の中に入ることがある。特にスニーカーなどのひも靴は、靴ひもに髪の毛が絡まりやすい。美容師、理容師などは、カットした髪の毛が足元に落ちるので、常に髪の毛が靴ひもに絡まる状況におかれている。髪の毛が靴の中に入り、また靴ひもに絡まると、その髪の毛が足に刺さることがあり、足にダメージを与えることがある。また、絡まった髪の毛が靴のひもや靴自体にもダメージを与え、靴の耐久性を損なうことがある。
【０００３】
ひも靴以外の靴を使用すれば、このような問題はある程度軽減できると考えられる。しかし、美容師等には、動きやすいスニーカーが好まれる傾向があり、またスニーカーには、ひもで結ぶタイプのものが多い。さらに、美容師等の、いわゆるファッション業界においては、美容師等の調髪における技量のみならず、美容師等のファッションセンスも、その美容師等の信用に影響を与えるから、着用する靴の種類を制限することは好ましくない。また、昨今のファッション業界におけるブランドマネジメントの高まりに鑑みれば、個々の美容師等のファッションは、各々の美容師等の信用のみならず、個々の美容院あるいはグループ企業のブランディングにも大きな影響を与えるから、着用する靴を制限することは、個々の美容師等の趣味あるいは信用の問題にととどまらない。
【０００４】
ところで、髪の毛が靴ひもに絡むことを防止することを目的とするものではないが、防水目的の靴カバーは幾つか存在する。例えば、下記特許文献１は野外を歩行中に降雨に遭遇したときに、靴の靴ひも部分から雨水が浸入するのを防ぐための靴カバーを開示している。この靴カバーは、靴ひも部分を覆うプラスチックカバーからなり、このプラスチックカバーにマジックテープ（登録商標）などの面テープが装着されている。この靴カバーは、面テープホルダーのベース部分を靴ひもに予め装着し、面テープの接合部を介して、プラスチックカバーを靴ひも部分に装着することができる構成である。
【０００５】
また、別の防水用の靴カバーの例として、下記特許文献２は、携帯靴カバーを開示している。この靴カバーは、ポリ塩化ビニル等の柔軟な防水性の素材と伸縮性の輪ゴム等からなり、概ね靴の全体をすっぽり覆う構成である。
【特許文献１】特開２００１−２５８６０３号公報
【特許文献２】特開２００６−３４０８８１号公報
【考案の開示】
【考案が解決しようとする課題】
【０００６】
特許文献１に記載の防水用の靴カバーを用いれば、靴ひもに髪の毛が絡むのを防止するという目的は、ある程度達成される。しかし、この防水用の靴カバーは、面テープで、靴の甲部分に装着されるために、装着者が屈んだり、背伸びをしたり等の運動により、面テープが剥がれ、カバーが外れる可能性がある。また、この防水用の靴カバーを、髪の毛が靴に絡むのを防ぐ目的で、美容院等の髪の毛が多い環境の下で使用すれば、面テープの接着面に髪の毛が挟まってしまい、面テープの接着力が弱まり、結果としてカバーの接着性が損なわれる可能性がある。特にマジックテープ（登録商標）などは、髪の毛が挟まりやすく、挟まった髪の毛を取り除くのは容易ではない。従って、髪の毛が靴ひもに絡むことを防止するためのひも靴カバーとして使用するためには、このような防水用の靴カバーとは、装着方法に異なる配慮が必要となる。また、この防水用の靴カバーは、撥水性のプラスチックシート又はフィルムなどで形成されているが、プラスチックシートのような比較的硬い素材であれば、装着すると動きにくくなると考えられる。またプラスチックフィルムなどの比較的柔かい素材であれば、装着しても動きにくくはならないが、面テープで装着しているゆえに、装着者の運動に起因してフィルムの一部がめくれて、カバーとしての機能が損なわれる可能性がある。特にプラスチックフィルムのカバーは、髪の毛の多い環境では、静電気等の発生により、めくれたままフィルムどうしがくっついてしまうことが考えられる。
【０００７】
また、特許文献２に記載の防水用の靴カバーでも、髪の毛が靴ひもに絡まることを防止するという目的は、ある程度達成される。しかし、靴底全体が覆われるわけではないが、靴底の縁沿いが、このカバーに覆われるので、装着者が靴カバーを踏んでしまい、運動中に滑る可能性がある。路面に凹凸の多い野外での使用においては、あまり問題にならないと考えられるが、美容院等のフロアーでは、滑りやすくなると考えられる。また、防水性の素材で靴の概ね全体が覆われるので足が蒸れ、長時間の使用は靴や足にダメージを与えうる。さらに、この靴カバーは靴の概ね全体を覆うので、靴の外観が大きく損なわれ、ファッション性が求められる美容院等で常用に供するには不向きである。
【０００８】
以上のような観点から、本考案は、スニーカーのようなひも靴にしっかりと装着でき、靴の外観を損なわずに、ひも靴に髪の毛が絡まないように、また、靴の中に髪の毛が入らないようにするためのひも靴カバーを提供することを目的とするものである。
【課題を解決するための手段】
【０００９】
本考案によるひも靴カバーは、第１の部材と第２の部材とを備え、第１の部材は第１の端部を有し、第１の部材は、髪の毛を通さない素材からなり且つ少なくともひも靴の編み部分の全体を覆うことができる寸法であり、第１の部材の第１の端部付近に靴ひもを通すための少なくとも２つの穴を有し、第２の部材は、第１の端部及び第２の端部を有し、第２の部材の第２の端部が第１の部材の背面に接続され、第２の部材の第１の端部は、ひも靴の編み部分を通るひもの少なくとも一部の下に通すことができることを特徴とする。
【００１０】
本考案によるひも靴カバーは、第２の部材が、靴ひもと係合する切り欠き部を有することを一つの特徴としている。
【００１１】
また、本考案によるひも靴カバーは、第１の部材の背面に、第２の部材を通すためのループが設けられていることを一つの特徴としている。
【００１２】
本考案によるひも靴カバーは、第２の部材の第１の端部が、第１の部材の第１の端部を越えて延びることを一つの特徴としている。
【００１３】
本考案によるひも靴カバーは、第１の部材が、第１の端部に対向する第２の端部を有し、第１の部材の背面と第２の部材の第２の端部との接続位置が、第１の部材の第２の端部から所定距離だけ離れていることを一つの特徴としている。
【００１４】
本考案によるひも靴カバーは、第１の部材の幅方向の断面が中央に凸となる形状であることを特徴とすることを一つの特徴としている。
[考案を実施するための最良の形態]
【００１５】
本考案の実施形態に係るひも靴カバー１０を図面を参照しながら説明する。
【００１６】
図１及び図２は、本考案に係るひも靴カバー１０の第１の実施形態を概略的に示している。図１はひも靴カバー１０を上から見た図であり、図２は、ひも靴カバー１０を背面から見た図である。図３は、ひも靴カバー１０の装着方法を説明するための説明図である。図４は、ひも靴カバーが装着されたひも靴を示している。
【００１７】
始めに、ひも靴カバー１０の構成の概略を説明する。ひも靴カバー１０は、外側の部材１２と内側の部材５２とからなる。内側の部材５２は一端で外側の部材１２の背面２０に接続されている。外側の部材１２及び内側の部材５２には、それぞれ靴ひもを通すための穴１６、５６が設けられている。
【００１８】
次に外側の部材１２の詳細な構成を図１及び図２を参照しながら説明する。外側の部材１２は、略長方形であり、ひも靴の編み部分の全体を覆うことができる寸法である。なお、ひも靴の編み部分とは、ひも靴の羽根部１０８により形成される概ねＵ字又はＶ字の開口部分、及び編み込まれる靴ひも１０２が占める領域、並びに羽根部１０８に形成される靴ひも１０２を通すための穴が占める領域を指す。略長方形の外側の部材１２は、ひも靴カバー１０を装着したときに、足首側に位置する第１の端部と、つま先側に位置する第２の端部を有する。外側の部材１２の素材は、髪の毛を通さない材料であれば、特に制限はない。例えば、合成繊維、天然素材などで外側の部材１２を形成することができる。外側の部材１２は、装着時の動きやすさのために、柔軟性を有する材料から形成することが好ましい。また、外側の部材１２は、靴又は足の甲の形状に合うように、幅方向の断面が中央に凸となる湾曲形状である。このように外側の部材１２は足の甲の形状に沿って湾曲しているので、ひも靴カバー１０を靴に装着したときに、外側の部材１２と靴の甲部分とが一致し、髪の毛が入る隙間を生じさせない。なお、外側の部材１２の湾曲形状は、素材に応じて熱加工などの既知のあらゆる方法で形成することができる。外側の部材１２は、長手方向に延びる、両側の縁部３０を有し、また、この両縁部３０の間の中央部２８を有する。外側の部材１２の両縁部３０は、中央部２８に比べて厚みがある。この厚みのある両縁部３０の第１の端部２４付近には、靴ひもを通すための２つの穴１６が設けられている。この穴１６は金具で補強されている。外側の部材１２の中央部２８には、穴１６よりもつま先側に４つのスリット１８が設けられている。このスリット１８により、１つのひも靴カバーで複数の大きさの靴に対応することができる。例えば、ひも靴カバーの寸法に比べて靴のサイズが小さい場合や、編み部分の短い靴に装着する場合に、靴ひもをスリット１８に通してひも靴カバー１０を靴に装着することができる。スリット１８は、穴１６よりも開口が小さいために、髪の毛がスリット１８を通ることはほとんどない。外側の部材１２の背面２０には、後述する内側の部材５２を通すためのループ２２が設けられている。このループ２２の幅は、内側の部材５２の幅よりもやや狭い。そのため、内側の部材５２をループ２２に通したときに、ループ２２内で内側の部材５２にしわが寄り、ループ２２内に嵩を与え、ひも靴カバーを装着したときにひも靴カバーが全体的に丸みのある形状となる。
【００１９】
次に内側の部材５２の詳細な構成を図１及び図２を参照しながら説明する。内側の部材５２は略長方形であり、ひも靴カバー１０を装着したときに、足首側に位置する第１の端部と、つま先側に位置する第２の端部を有する。内側の部材５２は、第２の端部６０が、外側の部材１２の背面２０の第２の端部２６付近で接続されている。外側の部材１２の背面２０と内側の部材５２の第２の端部６０との接続位置は、外側の部材１２の第２の端部２６から所定距離だけ離れていることが好ましい。この所定距離は、ひも靴カバーを靴に装着したときに、靴の編み部分を通る靴ひも１０２の最もつま先側のひもよりもつま先側における靴の編み部分を、外側の部材１２で確実に覆うことができるようにするために設けられている。内側の部材５２の素材は、特に制限はなく、合成繊維や天然素材などから形成することができるが、装着するときの便宜のため、また、装着時の動きやすさのために、柔軟性を有する素材が好ましい。内側の部材５２の第１の端部６２付近には、靴ひもを通すため穴５６及びスリット５８が、外側の部材１２の穴１６及びスリット１８に対応する位置にそれぞれ設けられている。内側の部材５２は、第１の端部６２が、外側の部材１２の第１の端部２４を越えて足首側に長く延び、ひも靴カバー１０を靴に装着した際に、外側の部材１２の上に折り返すことができるようになっている（図４参照）。
【００２０】
次に、ひも靴カバー１０の装着方法を図３及び図４を参照しながら説明する。まず、内側の部材５２の第１の端部６２を靴１００の編み部分を通るひも１０２の一番つま先側のひもの下に矢印Ａのように通す。このとき、外側の部材１２の背面１２と内側の部材５２の第２の端部６０との接続位置が、外側の部材１２の第２の端部２６から所定距離だけ離れているので、靴の編み部分を通る靴ひも１０２の最もつま先側のひもよりもつま先側における靴の編み部分は、外側の部材１２で確実に覆われる。次に、内側の部材５２の第１の端部６２を、外側の部材１２のループ２２に矢印Ｂのように通す。なお、ループ２２は、図３（ａ）では透視線で示されている。そして、靴ひも１０４を、内側の部材５２の穴５６又はスリット５８に矢印Ｃ又は矢印Ｃ´のように通し、その後、靴ひも１０４をさらに外側の部材１２の穴１６又はスリット１８に矢印Ｄ又は矢印Ｄ´のように通す。この時、靴ひも１０４を、穴５６、１６又はスリット５８、１８のいずれに通すかは、任意であるが、靴１００の編み部分の長さとひも靴カバー１０の穴５６、１６及びスリット５８、１８の位置との関係から装着しやすい位置にある穴５６、１６又はスリット５８、１８を選べばよい。最後に、外側の部材１２の第１の端部を越えて延びた内側の部材５２の第１の端部６２を、外側の部材１２の上に折り返し、その上から靴ひも１０４を結ぶ。このように、内側の部材５２を、靴１００の編み部分を通るひも１０２の下と、外側の部材１２のループ２２とを通して靴に固定するので、外側の部材１２を靴１００の編み部分にしっかりと装着することができ、ひも靴カバー１０と靴１００との間に髪の毛が入る隙間を生じさせない。そして、靴ひも１０４を内側の部材５２及び外側の部材１２の両方に通して、ひも靴カバー１０を固定するので、ひも靴カバー１０が靴１００にしっかりと固定され、位置がずれない。さらに、内側の部材５２の足首側に延びた第１の端部６２を外側の部材１２の上に折り返し、その上から靴ひも１０４を結ぶので、外側の部材１２及び内側の部材５２の密着性が増し、ひも靴カバー１０の位置ずれがさらに防止される。
【００２１】
次に、本考案に係るひも靴カバー１０の第２の実施形態を、図５を参照しながら説明する。図５は、ひも靴カバー１０を背面から見た図である。なお、図５において、図１及び２に示すひも靴カバーと同一又は類似の構成要素には同様の符号を付してあるので、その詳細な説明は省略する。
【００２２】
本実施形態における外側の部材１２の背面２０には、内側の部材５２を通すためのループ２２が３つ設けられている。この３つのループは、外側の部材１２を幅方向の断面が中央に凸となるように湾曲させた状態で、ループの長手方向の両端部がそれぞれ外側の部材１２に接続される。換言すれば、各ループ２２が、外側の部材１２の湾曲面に対して弦となるように接続される。このようにループ２２を用いて外側の部材１２の湾曲形状を形成すれば、外側の部材１２に対して、例えば熱加工などの湾曲形状を形成する工程が不要になる。また、このループ２２の数、長さ、接続位置等を変更することにより、外側の部材１２の様々な湾曲形状を形成することができる。
【００２３】
第２の実施形態における内側の部材５２には、外側の部材１２との接続位置付近に、切り欠き部６４が設けられている。ひも靴カバーを靴に装着したときに、この切り欠き部６４に、靴の編み部分を通る靴ひも１０２の最もつま先側のひもが係合する。その結果、装着時にひも靴カバーがずれにくくなる。図１及び図２に示す第１の実施形態とは異なり、図５に示す第２の実施形態においては、内側の部材５２に靴ひもを通すための穴が設けられていない。本実施形態では、切り欠き部６４と靴ひもとの係合により、ひも靴カバーが装着時にずれにくくなっているので、内側の部材５２に靴ひもを通すための穴を設ける必要はない。もちろん、本実施形態においても、内側の部材５３に靴ひもを通すための穴を設けることもできる。
【００２４】
図５に示す第２の実施形態のひも靴カバーの装着方法は、内側の部材５２に靴ひもを通す手順が不要となること以外は、図３及び図４で説明した第１の実施形態に係るひも靴カバーの装着方法と同様である。
【００２５】
本考案は、図示した及び上述した実施形態以外にも、様々な実施形態が考えられる。
【００２６】
まず、外側の部材に関して以下の変形例が考えられる。例えば、外側の部材の形状は、靴の編み部分を覆うことができる限り、他の形状とすることもでき、例えば卵形や楕円形状などにしてもよい。また、図示の第１及び第２の実施形態では、外側の部材は足又は靴の甲の形状に合わせるために、外側の部材の幅方向の断面が中央に凸となる湾曲形状であるが、他の実施形態として外側の部材を平らな形状としてもよい。外側の部材を湾曲した形状にしなくても、柔軟な素材で外側の部材を形成すれば、ひも靴カバーを靴に装着したときに、ひも靴カバーが靴の形状に沿って湾曲して、靴とひも靴カバーとの間に隙間を生じさせることはない。
【００２７】
また、装着時の動きやすさの観点から、外側の部材を、長手方向の中央に向かって細くなる形状にしてもよい。図示した第１の実施形態では、外側の部材の長手方向に沿う両縁部は、中央部に比べて厚みをつけることにより両縁部が補強されているが、他の実施形態として、中央部と縁部とを同一の厚さとしてもよい。外側の部材を、穴及び金具を設けることができ、実用に耐え得る程度に十分な強度を備える素材で形成するならば、縁部を厚く形成する必要はない。あるいは、外側の部材の中央部と両縁部とを強度の異なる素材で形成してもよい。図示の第１及び第２の実施形態では、外側の部材の靴ひもを通す穴は金具で補強されているが、補強する必要がなければ、金具はなくてもよい。外側の部材に設けるスリットの数は、ひも靴カバー及び装着する靴のサイズに応じて任意の数とすることができる。また、外側の部材に、スリットの代わりに複数の穴を設けてもよいし、穴を設けずに複数のスリットだけを設けてもよい。
【００２８】
外側の部材の背面に形成されるループの位置や大きさも任意に変更できる。第２の実施形態において説明したように、ループの数、長さ、位置等を変更することで外側の部材の様々な湾曲形状を形成できる。ループを伸縮性のある材料で形成してもよい。
【００２９】
外側の部材の素材は、髪の毛を通さない限り、任意の素材とすることができ、合成繊維や天然素材などを利用できる。例えば、シリコーンゴム、織地、革、合成皮革などで外側の部材を形成できる。粗く織られた織地あるいはニット地であっても、表面にコーティング等を施して、髪の毛が自在に通り抜けることができないように加工することで、ひも靴カバーとして使用できる。柔軟性及び伸縮性のある素材が装着及び装着時の動きやすさの観点からは好ましい。あるいは、デザイン性の観点から、既存のウェットスーツや洋服の一部を切り出して、いわゆるリメイク品として外側の部材を作成してもよい。
【００３０】
次に内側の部材に関して以下の変形例が考えられる。内側の部材の形状や材料は、外側の部材について述べたのと同様の変更が可能である。内側の部材は外側の部材を靴に固定するためのものなので、髪の毛を通す、例えばメッシュ素材などであっても構わない。図示の第１及び第２の実施形態では、内側の部材の第１の端部は、外側の部材の第１の端部を越えて長く延びているが、必ずしも長く延びている必要はない。この内側の部材の第１の端部の長さは、デザイン性の観点から決めてもよい。例えば、内側の部材の第１の端部の位置を、外側の部材の第１の端部の位置とそろえれば、内側の部材は外部から見えなくなり、また、内側の部材の第１の端部が、外側の部材の第１の端部よりも長く延びていれば、図４に示されるように内側の部材の一部が足首側において見えるようになる。内側の帯の第１の端部が、外側の部材の第１の端部よりも足首側に延びている場合、外側の部材と内側の部材とを異なる素材で形成したり、外側の部材と内側の部材とに異なる色彩を施したりすることで、ひも靴カバーのデザインの幅が広がる。
【００３１】
なお、以上述べてきた実施形態及び変形例の各構成は、本発明の趣旨を逸脱しない限り、互いに組み合わせることが可能である。
【考案の効果】
【００３２】
以上述べてきたように、本考案によるひも靴カバーは、第１の部材と第２の部材とを備え、第１の部材は第１の端部を有し、第１の部材は、髪の毛を通さない素材からなり且つ少なくともひも靴の編み部分の全体を覆うことができる寸法であり、第１の部材の第１の端部付近に靴ひもを通すための少なくとも２つの穴を有し、第２の部材は、第１の端部及び第２の端部を有し、第２の部材の第２の端部が第１の部材の背面に接続され、第２の部材の第１の端部は、ひも靴の編み部分を通るひもの少なくとも一部の下に通すことができるので、スニーカーのようなひも靴にしっかりと装着でき、靴の外観を損なわずに、ひも靴に髪の毛が絡まないように、また、靴の中に髪の毛が入らないようにするためのひも靴カバーを提供することができる。
【００３３】
このように、本考案によるひも靴カバーによれば、美容院等の髪の毛が多い環境において、ひも靴に髪の毛が入ることを防止できる。その結果、靴の中で髪の毛が足に刺さる等による足のダメージを防止できる。また、髪の毛による靴の損傷を軽減できるので、靴の耐久性を向上させることがでる。靴の損傷の激しい立ち仕事の美容師等にとって、気に入ったスニーカーを長持ちさせることができる本考案のひも靴カバーは、経済的にも、ファッション的にも意義がある。本考案による靴カバーは、内側及び外側の部材と靴ひもとを用いて靴に装着することができるので、面テープなどの別個の固定具を必要としないため、簡易な構成である。また、本考案によるひも靴カバーは、靴ひもを通して装着されるので、面テープを使って装着する靴カバーに比べて外れにくく、位置もずれにくい。さらに、本考案によるひも靴カバーは、靴の編み部分だけを覆うものなので、靴自体の外観を損なわない。それどころか、本考案によるひも靴カバーは上述したような様々な素材で形成することができるので、靴とひも靴カバーとのトータルコーディネートにより、新たな足元のオシャレを提供できる。
【図面の簡単な説明】
【００３４】
【図１】本考案に係るひも靴カバーの第１の実施形態を示す略上面図である。
【図２】図１に示すひも靴カバーの略底面図である。
【図３】図１に示すひも靴カバーの靴への装着方法を示す図である。
【図４】図１に示すひも靴カバーが靴に装着された状態を示す図である。
【図５】本考案に係るひも靴カバーの第２の実施形態を示す図である。
【符号の説明】
【００３５】
１０    ひも靴カバー
１２    第１の部材
５２    第２の部材
１６、５６    穴
１８、５８    スリット
２２    ループ
６４    切り欠き部
１００    ひも靴
１０２    編み部分を通るひも
１０４    靴ひも
１０６    ベロ
１０８    羽根部
【図１】
0003137205.tif 000003
【図２】
0003137205.tif 000004
【図３】
0003137205.tif 000005
【図４】
0003137205.tif 000006
【図５】
0003137205.tif 000007